(57)【要約】【課題】タブレットを１個ずつ確実に取り出すことができると共に、紙箱等に梱包する際にも嵩張ることがない振出容器を提供する。【解決手段】複数のタブレットを収容する収容空間２０を備える容器本体１０と、蓋部材５０を備える振出容器。蓋部材５０は、振出口３５を閉じる閉位置と、同振出口３５を開ける開位置との間をスライド可能である。収容空間２０は、タブレットが１つだけ入ることができる待機スペース３０を介して振出口３５と連通している。蓋部材内面の第１隆起部５８が待機ペース３０の高さを、タブレット１つの全厚にほぼ等しく制限している。蓋部材５０が閉位置から開位置へとスライドして振出口３５を開けるとき、蓋部材５０の内面に設けたシャッタ部材５５が、収容空間２０と待機スペース３０との連通部を閉じる。したがって、振出口３５から振り出されるタブレットは常に１つだけである。【選択図】図６
2009083897.tif 000002
【特許請求の範囲】
【請求項１】
底壁（１１）および外周壁（１２）を有するとともに内部に複数のタブレット（５）を収容する収容空間（２０）を備える容器本体（１０）と、
容器本体の外周壁（１２）に設けられた振出口（３５）を閉じる閉位置と、同振出口（３５）を開ける開位置との間をスライド可能に、容器本体（１０）に連結された蓋部材（５０）と、を備える振出容器であって、
収容空間（２０）は、タブレットが１つだけ入ることができる待機スペース（３０）を介して、振出口（３５）と連通しており、
収容空間（２０）は、その高さがタブレット２つを重ねた場合の全厚よりも大きく設定されているが、待機ペース（３０）においては、蓋部材の内面に設けた第１隆起部（５８）が当該待機ペース（３０）の高さをタブレット１つの全厚にほぼ等しく制限しており、
蓋部材（５０）が閉位置から開位置へとスライドして振出口（３５）を開けるとき、蓋部材の内面に立設したシャッタ部材（５５）が、収容空間（２０）と待機スペース（３０）との連通部を閉じることを特徴とする、振出容器。
【請求項２】
上記蓋部材（５０）の内面には、収容空間（２０）の待機スペース（３０）近傍領域において、収容空間から待機スペースへとタブレット（５）の移動をガイドする斜面を備えた第２隆起部（５９）が設けられていることを特徴とする、請求項１記載の振出容器。
【請求項３】
上記シャッタ部材（５５）は、蓋部材（５０）が容器本体（１０）に対して開位置を超えて相対スライドして離脱することを防ぐストッパとして機能することを特徴とする、請求項１または２記載の振出容器。
【発明の詳細な説明】
【技術分野】
【０００１】
本発明は、錠剤状の医薬品、粒状の清涼剤等の内容物を、小出しに使用する携帯用の振出容器に関する。
【背景技術】
【０００２】
従来、錠剤状の医薬品や粒状の清涼剤等を収納して、小出しに使用する振出容器としては、例えば、容器本体に設けた小出し用取出口を摺動可能な蓋体で開閉するようにしたものが知られている（たとえば、特許文献１参照）。
【０００３】
特許文献１に開示された携帯用ケースは、内容物の小出し用取出口と収納部が連通しているために、蓋体を開方向側に摺動させて小出し用取出口を開放し、この小出し用取出口から内容物を取り出す際に、前記取出口を下側に向けると、内容物が複数個出てくる。このため、例えば、内容物を１個だけ取り出したい場合、内容物を確実に１個だけ取り出すことは結構困難であった。
【０００４】
そこで、上記問題を解決するものとして、小出し用取出口から確実に内容物を１個だけ取り出す振出容器が提案されている（たとえば、特許文献２参照）。この特許文献２に開示された振出容器は、容器本体に設けた小出し用取出口と内容物収納部の間の容器本体内側に突き出る凸部を設けると共に、蓋体の前記凸部に対応する位置に外側に突き出る膨出部を形成することにより、複数種類の内容物を各１個ずつ確実に取り出すようにしたものである。
【０００５】
しかしながら、特許文献２記載の振出容器は、蓋体に膨出部を有するために、紙箱等に梱包する際には、整列した状態で梱包することができないために（嵩張るために）無駄な空間ができ、入数に対する紙箱のコストがアップするといった問題や店頭で販売する際にも陳列し難いといった問題があった。
【０００６】
【特許文献１】特開平１１−１０５９４９号公報
【特許文献２】特開２００１−２４０１５８号公報
【発明の開示】
【発明が解決しようとする課題】
【０００７】
本発明は、上記従来の問題点を解決するために創案されたものであって、内容物を１個ずつ確実に取り出すことができると共に、紙箱等に梱包する際にも嵩張ることがない振出容器を提供することを目的とする。
【課題を解決するための手段】
【０００８】
本発明の振出容器は、「底壁および外周壁を有するとともに内部に複数のタブレットを収容する収容空間を備える容器本体」と「容器本体の外周壁に設けられた振出口を閉じる閉位置と、同振出口を開ける開位置との間をスライド可能に、容器本体に連結された蓋部材」とを備える。
収容空間は、タブレットが１つだけ入ることができる待機スペースを介して、振出口と連通している。収容空間は、その高さがタブレット２つを重ねた場合の全厚よりも大きく設定されているが、待機ペースにおいては、蓋部材の内面に設けた第１隆起部が当該待機スペースの高さをタブレット１つの全厚にほぼ等しく制限している。
蓋部材が閉位置から開位置へとスライドして振出口を開けるとき、蓋部材の内面に立設したシャッタ部材が、収容空間と待機スペースとの連通部を閉じる。
【発明の効果】
【０００９】
上記構成を備えた本発明の振出容器においては、待機スペースは、タブレットが１つだけ入ることができるように、その寸法が設定されている。そして、蓋部材がスライドして振出口が開かれたとき、蓋部材に設けたシャッタ部材が、待機スペースと収容空間との連通部を閉じる。この状態では、新たなタブレットが待機スペースに入り込むことはできないので、振出口から振り出されるタブレットは常に１つだけである。
また、待機スペースにはタブレットは１つしか入り得ないが、収容空間の高さは、タブレット２つを重ねた場合の全厚よりも大きく設定されているので、十分に大きな内容積が確保される。しかも、上記構成であれば、容器本体から外部へ向かって突出する膨出部を無くすことができるので、梱包の際に嵩張ることもない。
【発明を実施するための最良の形態】
【００１０】
本発明の実施形態を添付の図面を参照して以下に詳細に説明する。
本発明の振出容器は、容器本体１０と蓋部材５０から構成される。図１は容器本体１０を、図２は蓋部材５０を示す斜視図である。
【００１１】
≪容器本体１０：図１≫
容器本体１０は、平たいトレイ状であって、底壁１１および外周壁１２を有する。容器本体１０の内部には、複数のタブレット５を収容する収容空間２０を備える。図示の例では、収容空間２０は、その高さがタブレット２つの全厚にほぼ等しく設定されている。すなわち、後述する蓋部材５０を取り付けた状態において、収容空間２０内で２枚のタブレット５が積み重なることができる。
【００１２】
収容空間２０の高さをさらに高くして、３枚以上のタブレットが積み重なり得るように構成することも可能である。詳しくは後述するが、いずれの場合でも、第１隆起部５８の存在により、待機スペース３０には、タブレットが１枚だけ導入されることとなる。
【００１３】
収容空間２０は、容器本体１０の周壁１２と、仕切り板２５、２６、３１で囲まれており、待機スペース３０に連なっている。待機スペース３０は、対向する仕切り板３１、３２に挟まれた空間であって、ここにはタブレット５が１つだけ入り込むことができるように、仕切り板３１、３２の間隔（すなわち、待機スペース３０の幅寸法）が設定されている。
詳しくは後述するが、第１隆起部５８の存在により、待機スペース３０の高さは、タブレットが１枚だけ入り得るように制限される。
【００１４】
また、待機スペース３０の箇所において、容器本体１０の周壁１２が途切れていて、ここに振出口３５が形成されている。すなわち、収容空間２０内のタブレット５は、詳しくは後述するように、まず待機スペース３０に入って、その後、振出口３５から振り出される。
【００１５】
≪蓋部材５０：図２、図３≫
図２は、蓋部材５０を示す上方斜視図である。蓋部材５０は、容器本体の収容空間２０を閉じる天板５１と、その三片から立設するガイド壁５２から構成される。
蓋部材５０を容器本体１０に取り付けたとき、ガイド壁５２は、容器本体の周壁１２の外側に位置する。そして、ガイド壁５２の端縁に設けた返り部５３が容器本体の底面側に係合し、これにより、蓋部材５０は、容器本体１０に対してスライド可能に連結される。
ただし、容器本体１０と蓋部材５０とをスライド可能に連結する具体的な機構は、これに限らず、適宜の構成を採用できる。
【００１６】
蓋部材５０の天板５１の内面には、板状のシャッタ部材５５、第１隆起部５８、第２隆起部５９が立設されている。図３は、天板５１の内面側を示す要部斜視図である。
天板５１の端縁近傍に立設されたシャッタ部材５５は、その高さがタブレット２枚の全厚とほぼ等しく、したがって、蓋部材５０を容器本体１０に組み付けたとき、シャッタ部材５５の先端は底壁１１の近傍にまで達する。このシャッタ部材５５は、詳しくは後述するように、蓋部材５０とともにスライド移動して、待機スペース３０と収容空間２０との連通部の開閉を行う。
【００１７】
シャッタ部材５５の周辺には、長板５８が３枚、短板５９ａが３枚、１／４のドーム状部材５９ｂが１つ、配置されている。これらの部材５８、５９ａ、５９ｂは、いずれも天板５１の内面からの突出高さが、シャッタ部材５５のほぼ半分（つまり、タブレット１枚の全厚にほぼ等しい）。
【００１８】
３枚の長板５８は、全体として第１隆起部として機能し、これにより、容器本体内の待機スペース３０の高さ寸法をタブレット１枚分にほぼ等しく制限する。この機能が達成される限り、第１隆起部５８は３枚の板部材で構成される必要はなく、中実の隆起部やフレーム体で構成されてもよい。
【００１９】
３枚の短板５９ａは、収容空間２０の待機スペース近傍領域における高さ寸法をタブレット１枚分にほぼ等しく制限している。また、ドーム状部材５９ｂは、最大高さ部分の高さが短板５９ａとほぼ等しく、その湾曲した斜面により、タブレット５の移動がスムーズとなるようにガイドする。３枚の短板５９ａおよびドーム状部材５９ｂが一体となって第２隆起部５９として機能する。
つまり、第２隆起部５９が存在することにより、タブレット２枚分の高さの収容空間２０から、タブレット１枚分の高さの待機スペース３０へと、タブレット５がスムーズに移動できる。ドーム状部材５９ｂの斜面は、図示したように湾曲しているものの他、平坦な斜面であってもよい。
以上の機能が達成される限り、第２隆起部５９は、複数の部材から構成される必要はなく、中実の隆起部やフレーム体で構成されてもよい。
【００２０】
次に、図４〜図６を参照して、本発明の振出容器において、タブレット５が１個づつ振り出される機構について説明する。これらの図においては、説明を分かりやすくするために、容器本体１０を破線で、蓋部材５０を実線で示している。
【００２１】
≪振出し機構：図４〜図６≫
（１）図４は、蓋部材５０が閉位置にある状態を示している。すなわち、蓋部材５０は容器本体１０を完全に閉じていて、ガイド壁５２が振出口３５を閉止している。この状態で容器を傾けると、タブレット５が１個だけ待機スペース３０内に位置する。既に説明した通り、待機スペース３０は、タブレット５が１つだけ入り込むことができるように、その幅寸法が設定されている。
また、待機スペース３０の高さ寸法については、蓋部材５０の内面から下方へ膨出する第１隆起部５８により、タブレット１枚分の高さに制限されている。したがって、タブレット５が２枚積み重なった状態で待機スペース３０に入り込むこともあり得ない。
【００２２】
（２）蓋部材５０は、図４の閉位置から、図６の開位置までスライド可能である。図５はその中間位置にある状態を示している。
蓋部材５０のスライド移動に伴って、振出口３５が開き始める。これと同時に、シャッタ部材５５が、収容空間２０と待機スペース３０との連通部を閉じ始めている。
【００２３】
（３）図６の開位置では、蓋部材５０は容器本体１０に対して最大限右方向に相対移動しており、振出口３５が完全に開いている。また、シャッタ部材５５が待機スペース３０を閉じることで、収容空間２０から完全に分断している。シャッタ部材５５は、第１隆起部５８および第２隆起部５９よりも立設寸法が高く、容器本体１０の底壁１１の表面近傍にまで延在しているため、タブレット５がシャッタ部材５５をくぐり抜けて待機スペース３０に入り込むことはない。
この状態で容器を振って振出動作を行っても、収容空間２０内のタブレット５は、待機スペース３０内へと移動することはできない。したがって、勢いよく振ったとしても、振り出されるタブレットは１つだけである。
【００２４】
シャッタ部材５５は、図示の例では板状の部材であるが、蓋部材５０が振出口３５を閉じたとき（図４：閉位置）、待機スペース３０と収容空間２０を連通させ、蓋部材５０が振出口３５を開いたとき（図６：開位置）、待機スペース３０と収容空間２０を分断できるものであれば、その具体的構成は問わない。
【００２５】
蓋部材５０が図６の開位置にあるとき、収容空間２０を規定する一方の仕切り板２６の端部にシャッタ部材５５が当接することで、ストッパとしての機能を果たす。すなわち、このストッパ機構により、蓋部材５０がそれ以上相対スライドして、容器本体１０から離脱することが防がれる。
ストッパ機構として、一般的に知られた他の機構を利用することも可能であるが、シャッタ部材５５をストッパと兼用することで、構造の簡単化、ひいてはコストダウンを実現できる。
【００２６】
図示の例では、蓋部材５０のガイド壁５２を用いて振出口３５の開閉を行っているが、蓋部材５０のスライド移動に伴って移動する何らかの部材を用いて振出口３５の開閉を行うことができれば、他の構成であってもよい。
【図面の簡単な説明】
【００２７】
【図１】本発明の振出容器を構成する容器本体の斜視図。
【図２】本発明の振出容器を構成する蓋部材の斜視図。
【図３】図２の蓋部材の内面側を示す要部斜視図。
【図４】本発明の振出容器を、蓋部材が閉位置にある状態で示す斜視図。
【図５】本発明の振出容器を、蓋部材が中間位置にある状態で示す斜視図。
【図６】本発明の振出容器を、蓋部材が開位置にある状態で示す斜視図。
【符号の説明】
【００２８】
５  タブレット
１０  容器本体
１１  底壁
１２  周壁
２０  収容空間
２５、２６  仕切り板
３０  待機スペース
３１、３２  仕切り板
３５  振出口
５０  蓋部材
５１  天板
５２  ガイド壁
５３  返り部
５５  シャッタ部材
５８  第１隆起部
５９  第２隆起部
【図１】
2009083897.tif 000003
【図２】
2009083897.tif 000004
【図３】
2009083897.tif 000005
【図４】
2009083897.tif 000006
【図５】
2009083897.tif 000007
【図６】
2009083897.tif 000008